Podtech/llm-jp-corpus-v4-ja_patent huggingface dataset:
【手続補正書】
【提出日】平成26年11月25日(2014.11.25)
【手続補正１】
【補正対象書類名】明細書
【補正対象項目名】０００６
【補正方法】変更
【補正の内容】
【０００６】
この発明に係る基板取外し治具は、軸部と、前記軸部の先端部に設けられ径方向に弾性変形可能な矢尻部と、前記矢尻部よりも基端部側の前記軸部の部分に設けられ前記矢尻部に対向する脚部とを有した基板固定具に、取付孔が形成され前記取付孔に前記矢尻部が挿入されて前記矢尻部と前記脚部との間に挟まれることにより固定された基板を前記基板固定具から取り外す際に用いられる基板取外し治具であって、前記矢尻部が挿入される筒部と、前記矢尻部が引き抜かれた前記取付孔を塞ぐキャップ部材とを備え、前記筒部は、前記筒部に前記矢尻部が挿入されることにより、前記矢尻部が前記取付孔を通過可能となるように、前記矢尻部を径方向について収縮させる。
【手続補正２】
【補正対象書類名】特許請求の範囲
【補正対象項目名】全文
【補正方法】変更
【補正の内容】
【特許請求の範囲】
【請求項１】
軸部と、前記軸部の先端部に設けられ径方向に弾性変形可能な矢尻部と、前記矢尻部よりも基端部側の前記軸部の部分に設けられ前記矢尻部に対向する脚部とを有した基板固定具に、取付孔が形成され前記取付孔に前記矢尻部が挿入されて前記矢尻部と前記脚部との間に挟まれることにより固定された基板を前記基板固定具から取り外す際に用いられる基板取外し治具であって、
前記矢尻部が挿入される筒部と、
前記矢尻部が引き抜かれた前記取付孔を塞ぐキャップ部材と
を備え、
前記筒部は、前記筒部に前記矢尻部が挿入されることにより、前記矢尻部が前記取付孔を通過可能となるように、前記矢尻部を径方向について収縮させることを特徴とする基板取外し治具。
【請求項２】
前記矢尻部との間に前記キャップ部材を挟んだ状態で、前記矢尻部が前記取付孔から引き抜かれる方向に前記矢尻部を押圧する押圧部材をさらに備え、
前記キャップ部材は、前記押出部材により前記矢尻部を前記取付孔から押し出しながら前記取付孔を塞ぐことを特徴とする請求項１に記載の基板取外し治具。
【請求項３】
軸部と、前記軸部の先端部に設けられ径方向に弾性変形可能な矢尻部と、前記矢尻部よりも基端部側の前記軸部の部分に設けられ前記矢尻部に対向する脚部とを有した基板固定具に、取付孔が形成され前記取付孔に前記矢尻部が挿入されて前記矢尻部と前記脚部との間に挟まれることにより固定された基板を前記基板固定具から取り外す基板取外し方法であって、
筒部に前記矢尻部が挿入されることにより、前記矢尻部が前記取付孔を通過可能となるように、前記矢尻部を径方向について収縮させる工程と、
前記矢尻部を径方向について収縮させる工程の後、前記矢尻部を前記取付孔から引き抜くように前記基板を前記基板固定部から取り外す工程と、
前記基板を前記基板固定部から取り外す工程の後、前記取付孔にキャップ部材を挿入して前記取付孔を塞ぐ工程と
を備えたことを特徴とする基板取外し方法。
【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
第１方向に移動して記録媒体に印刷を行う印刷ヘッドを有するプリンター本体部と、
前記プリンター本体部の前記第１方向の一方の側に取り付けられて操作入力されるパネルと、
前記プリンター本体部の前記第１方向と直交する第２方向の一方の側に配設されて記録媒体を前記プリンター本体部に挿入する挿入口と、
前記プリンター本体部の前記第２方向の他方の側に配設されて前記記録媒体を前記プリンター本体部から排出する排出口と、
を備えることを特徴とするプリンター。
【請求項２】
前記印刷ヘッドはインクを吐出するインクジェットヘッドであり、
前記インクジェットヘッドは、印刷待機中、前記プリンター本体部の前記第１方向の一方の側で停止する請求項１に記載のプリンター。
【請求項３】
前記第２方向の他方の側に、前記インクジェットヘッドに供給されるインクを貯留するインクカートリッジを装着するカートリッジ装着口が配設される請求項２に記載のプリンター。
【請求項４】
前記記録媒体の前記第１方向の一方の側及び他方の側に形成されるスプロケットホールに係合するトラクターピンを有し、
前記トラクターピンを移動させて前記記録媒体を前記挿入口に向けて搬送するトラクターユニットを前記第２方向の一方の側に備える請求項１乃至３のいずれか１項に記載のプリンター。
【請求項５】
前記排出口から排出された前記記録媒体を巻き取るロール紙装着ユニットを前記第２方向の他方の側に備える請求項１乃至４のいずれか１項に記載のプリンター。
【手続補正２】
【補正対象書類名】明細書
【補正対象項目名】０００９
【補正方法】変更
【補正の内容】
【０００９】
上記の課題を解決するために、本発明のプリンターは、
第１方向に移動して記録媒体に印刷を行う印刷ヘッドを有するプリンター本体部と、
前記プリンター本体部の前記第１方向の一方の側に取り付けられて操作入力されるパネルと、
前記プリンター本体部の前記第１方向と直交する第２方向の一方の側に配設されて記録媒体を前記プリンター本体に挿入する挿入口と、
前記プリンター本体部の前記第２方向の他方の側に配設されて前記記録媒体を前記プリンター本体から排出する排出口と、
を備えることを特徴としている。
【手続補正３】
【補正対象書類名】明細書
【補正対象項目名】００１２
【補正方法】変更
【補正の内容】
【００１２】
本発明のプリンターにおいて、前記第２方向の他方の側に、前記インクジェットヘッドに供給されるインクを貯留しているインクカートリッジを装着するカートリッジ装着口が配設されることを特徴としている。
【手続補正４】
【補正対象書類名】明細書
【補正対象項目名】００１４
【補正方法】変更
【補正の内容】
【００１４】
本発明のプリンターにおいて、前記記録媒体の前記第１方向の一方の側及び他方の側に形成されるスプロケットホールに係合するトラクターピンを有し、前記トラクターピンを移動させて前記記録媒体を前記挿入口に向けて搬送するトラクターユニットを前記第２方向の一方の側に備えることを特徴としている。操作者がパネルに対峙するように位置すると、操作者にとって側方となるプリンターの部位にトラクターユニットが位置する。したがって、操作者はパネルに対峙した状態のままで、トラクターユニットに対する記録媒体のセット作業などを容易に行うことができる。
【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
撮影室内に設置され、被検体にＸ線を照射するＸ線発生部と前記被検体を透過したＸ線を検出するＸ線検出部を支持するＣアームを有したＸ線透視台と、前記撮影室内を移動可能な移動機器とを備えたＸ線診断装置であって、
前記撮影室内において予め設定された動作規制範囲の範囲内に前記Ｃアームと前記移動機器が存在する場合、前記Ｃアームの所定動作を規制するアーム制御部を備えることを特徴とするＸ線診断装置。
【請求項２】
前記Ｘ線透視台は、前記撮影室内における前記Ｃアームの位置情報を検出するアーム位置検出部を備え、前記移動機器は、前記撮影室内における移動機器の位置情報を検出する移動機器位置検出部を備えていることを特徴とする請求項１記載のＸ線診断装置。
【請求項３】
前記動作規制範囲の範囲内に前記Ｃアームと前記移動機器が同時に存在している場合、前記アーム制御部 は、前記Ｃアームの回転動作を規制することを特徴とする請求項１記載のＸ線診断装置。
【請求項４】
前記アーム制御部は、前記Ｃアームが前記移動機器に接触しないように、前記Ｃアームの所定の回転方向の回転動作を規制することを特徴とする請求項３記載のＸ線診断装置。
【請求項５】
前記アーム制御部は、前記所定の回転方向のみにおける前記Ｃアームの回転動作を規制し、前記所定の回転方向と反対の回転方向における前記Ｃアームの回転動作を規制しないことを特徴とする請求項４記載のＸ線診断装置。
【請求項６】
前記アーム制御部は、被検体を載せる天板の高さと前記移動機器の高さとを比較して、前記所定の回転方向における前記Ｃアームの回転動作の規制を判別することを特徴とする請求項４記載のＸ線診断装置。
【請求項７】
前記撮影室の床面からの前記天板の高さを検出する天板高さ検出部と、前記撮影室の床面からの前記移動機器の高さを検出する移動機器高さ検出部とを備えていることを特徴とする請求項６記載のＸ線診断装置。
【請求項８】
前記Ｃアームの回転動作による回転方向は、撮影のために前記被検体を載せる寝台の長手方向に直交し、床面に対して水平となる軸を中心とした回転方向であることを特徴とする請求項３乃至７のいずれか一項に記載のＸ線診断装置。
【請求項９】
前記動作規制範囲の範囲内に前記Ｃアームと前記移動機器が同時に存在している場合、前記アーム制御部は、前記Ｃアームを傾斜させたまま、前記Ｃアームを所定方向に直線移動することができないように規制することを特徴とする請求項１記載のＸ線診断装置。
【請求項１０】
前記Ｃアームの直線移動による移動方向は、撮影のために前記被検体を載せる寝台の長手方向であることを特徴とする請求項９に記載のＸ線診断装置。
【請求項１１】
前記アーム制御部は、前記動作規制範囲の範囲内に前記Ｃアームと前記移動機器が存在することを操作者に連絡するための警報を前記移動機器の表示部に表示させることを特徴とする請求項１乃至１０のいずれか一項に記載のＸ線診断装置。
【手続補正２】
【補正対象書類名】明細書
【補正対象項目名】００３２
【補正方法】変更
【補正の内容】
【００３２】
移動機器位置検出部23は、例えば、移動部22である車輪の前進後退位置を計測する前進後退位置計測用エンコーダ301と、移動部22である車輪の旋回位置を計測する旋回位置計測用エンコーダ302とから構成される。移動機器位置検出部23は、前進後退位置計測用エンコーダと旋回位置計測用エンコーダのそれぞれ計測値から、撮影室内における移動部22の位置情報を検出する。前進後退位置計測用エンコーダで計測される回転量と旋回位置計測用エンコーダで計測される旋回角度を組み合わせることにより、撮影室内における移動部22の位置情報を検出することができる。そして、撮影室内における移動部22の位置情報と移動機器20の周縁(形状及び大きさ)に基づいて、移動機器20の撮影室内における位置情報が検出される。移動機器20の位置情報(X座標，Y座標)は、2次元範囲の位置情報である。
【手続補正３】
【補正対象書類名】図面
【補正対象項目名】図１
【補正方法】変更
【補正の内容】
【図１】
2013248311.tif 000001
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
被験者に装着して使用される眼球生体情報収集装置であって、
前記眼球生体情報収集装置の前記使用時に前記被験者の眼球に向けて超音波を発信し前記眼球で反射された反射波を受信する超音波センサー部と、
前記使用時に前記超音波センサー部を前記被験者の眼瞼に押圧可能に設けられている押圧部と、を備えることを特徴とする眼球生体情報収集装置。
【請求項２】
請求項１に記載の眼球生体情報収集装置であって、
前記超音波センサー部は、複数の開口がアレイ状に配置された基板と、
前記開口に形成される振動膜と、
前記振動膜に、２つの電極に接触する圧電体膜を有する超音波素子と、を備える
ことを特徴とする眼球生体情報収集装置。
【請求項３】
請求項２に記載の眼球生体情報収集装置であって、
前記基板は半導体基板であることを特徴とする眼球生体情報収集装置。
【請求項４】
請求項３に記載の眼球生体情報収集装置であって、
前記超音波センサー部は、
前記超音波素子と、受信した信号を増幅する増幅回路とを一体に備えることを特徴とする眼球生体情報収集装置。
【請求項５】
請求項４に記載の眼球生体情報収集装置であって、
前記超音波センサー部は、
前記超音波素子が直列接続されている超音波受信部を有することを特徴とする眼球生体情報収集装置。
【請求項６】
請求項５に記載の眼球生体情報収集装置であって、
前記超音波センサー部は、
前記超音波素子が並列接続されている超音波発信部を有することを特徴とする眼球生体情報収集装置。
【請求項７】
請求項１〜６のいずれか一項に記載の眼球生体情報収集装置であって、
前記超音波センサー部の前記眼瞼を向く側にはゲル状の超音波伝導体が設置されていることを特徴とする眼球生体情報収集装置。
【請求項８】
請求項１〜７のいずれか一項に記載の眼球生体情報収集装置であって、
前記増幅回路が出力する信号をデジタル信号に変換するＡＤ変換部と、前記デジタル信号を記憶する記憶部と、を有することを特徴とする眼球生体情報収集装置。
【請求項９】
請求項１〜８のいずれか一項に記載の眼球生体情報収集装置であって、
前記押圧部は、弾性材料からなる弾性部材を有し、前記被験者の頭部に装着される際に前記弾性部材の一部が前記被験者の頭部に接する位置に配設されていることを特徴とする眼球生体情報収集装置。
【請求項１０】
被験者に装着して使用される眼球生体情報収集装置であって、
前記眼球生体情報収集装置の前記使用時に前記被験者の眼球に向けて超音波を発信し前記眼球で反射された反射波を受信する超音波センサー部と、
前記超音波センサー部の前記使用時に前記被験者の眼瞼に向く側とは逆側に設けられる弾性部と、を備えることを特徴とする眼球生体情報収集装置。
【請求項１１】
被験者に装着して使用される眼球生体情報収集装置であって、
前記眼球生体情報収集装置の前記使用時に前記被験者の眼球に向けて超音波を発信し前記眼球で反射された反射波を受信する超音波センサー部と、
前記超音波センサー部を支持し、前記使用時に前記被験者の眼瞼に向く方向に延在する弾性支持部と、を備えることを特徴とする眼球生体情報収集装置。
【請求項１２】
被験者に装着して使用される眼球生体情報収集装置であって、
前記眼球生体情報収集装置の前記使用時に前記被験者の眼球に向けて超音波を発信し前記眼球で反射された反射波を受信する超音波センサー部と、
前記使用時に前記被験者の耳および鼻に載上されるフレームと、
前記フレームに取り付けられ、前記使用時に前記被験者の眼瞼に向く方向に前記超音波センサー部を支持し弾性材料からなる支持部と、を備えることを特徴とする眼球生体情報収集装置。
【請求項１３】
被験者に装着して使用される眼球生体情報収集装置であって、
前記眼球生体情報収集装置の前記使用時に前記被験者の眼球に向けて超音波を発信し前記眼球で反射された反射波を受信する超音波センサー部と、
前記使用時に前記被験者の頭部に巻回される巻回部と、
前記巻回部と前記超音波センサー部との間に位置し、前記超音波センサー部を前記被験者の眼瞼に押圧する弾性材料からなる押圧部と、を備えることを特徴とする眼球生体情報収集装置。
【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
プレイヤーによるログイン操作を受け付ける受付部を備える複数の端末装置に通信接続されるゲーム制御サーバであって、
前記受付部に対してログインした複数のプレイヤーがそれぞれ育成するキャラクタを用いて同じゲーム世界内で並行してプレイするようにゲーム進行を管理するゲーム進行管理部と、
プレイヤー同士をグループ化するグループ化処理部と、
前記ゲーム進行管理部により管理されるゲーム進行の中での特定のプレイヤーの成績に基づいて、ログイン中の複数のプレイヤーのうち、前記特定のプレイヤー及び該特定のプレイヤーと同じグループに属するプレイヤーに対して、特定のゲーム内アイテムを付与するアイテム管理部と、
を備えるゲーム制御サーバ。
【請求項２】
請求項１記載のゲーム制御サーバであって、
前記グループ化される複数のプレイヤーは、新規にゲームを開始するプレイヤーと、ゲーム進行が既に所定の段階まで進んでいるプレイヤーとの組み合わせである、
ゲーム制御サーバ。
【請求項３】
請求項１又は２項記載のゲーム制御サーバであって、
前記ゲーム進行管理部は、前記複数のプレイヤーがそれぞれ育成する前記キャラクタである競走馬を、共通のレーススケジュールに従い開催されるレースに出走させて競わせる競走馬育成ゲームを進行させ、
前記特定のゲーム内アイテムは、前記競走馬の能力を向上させるアイテムである、
ゲーム制御サーバ。
【請求項４】
プレイヤーによるログイン操作を受け付ける受付部を備える複数の端末装置に通信接続されるゲーム制御サーバであって、
前記受付部に対してログインした複数のプレイヤーが同じゲーム世界内で並行してプレイするようにゲーム進行を管理するゲーム進行管理部と、
プレイヤー同士をグループ化するグループ化処理部と、
前記ゲーム進行管理部により管理されるゲーム進行の中で特定のプレイヤーが所定の条件を満たしたときに、ログイン中の複数のプレイヤーのうち、前記所定の条件を満たした特定のプレイヤー及び該特定のプレイヤーと同じグループに属するプレイヤーに対して、特定のゲーム内アイテムを付与するアイテム管理部と、
を備えるゲーム制御サーバであって、
前記ゲーム進行管理部は、前記受付部に対してログインした複数のプレイヤーがそれぞれ育成する競走馬を、共通のレーススケジュールに従い開催されるレースに出走させて競わせる競走馬育成ゲームを進行させ、
前記特定のゲーム内アイテムは、前記競走馬の能力を向上させるアイテムである、
ゲーム制御サーバ。
【請求項５】
プレイヤーによるログイン操作を受け付ける受付部と、
前記受付部に対してログインした複数のプレイヤーがそれぞれ育成するキャラクタを用いて同じゲーム世界内で並行してプレイするようにゲーム進行を管理するゲーム進行管理部と、
プレイヤー同士をグループ化するグループ化処理部と、
前記ゲーム進行管理部により管理されるゲーム進行の中での特定のプレイヤーの成績に基づいて、ログイン中の複数のプレイヤーのうち、前記特定のプレイヤー及び該特定のプレイヤーと同じグループに属するプレイヤーに対して、特定のゲーム内アイテムを付与するアイテム管理部と、
を備えるゲーム装置。
【請求項６】
ゲーム装置の制御コンピュータに、
受付部に対してログインした複数のプレイヤーがそれぞれ育成するキャラクタを用いて同じゲーム世界内で並行してプレイするようにゲーム進行を管理させ、
プレイヤー同士をグループ化させ、
前記管理されるゲーム進行の中での特定のプレイヤーの成績に基づいて、ログイン中の複数のプレイヤーのうち、前記特定のプレイヤー及び該特定のプレイヤーと同じグループに属するプレイヤーに対して、特定のゲーム内アイテムを付与させる、
ゲーム制御プログラム。
【手続補正２】
【補正対象書類名】明細書
【補正対象項目名】０００８
【補正方法】変更
【補正の内容】
【０００８】
上記目的を達成するための一態様は、
プレイヤーによるログイン操作を受け付ける受付部を備える複数の端末装置に通信接続されるゲーム制御サーバであって、前記受付部に対してログインした複数のプレイヤーがそれぞれ育成するキャラクタを用いて同じゲーム世界内で並行してプレイするようにゲーム進行を管理するゲーム進行管理部と、
プレイヤー同士をグループ化するグループ化処理部と、
前記ゲーム進行管理部により管理されるゲーム進行の中での特定のプレイヤーの成績に基づいて、ログイン中の複数のプレイヤーのうち、前記特定のプレイヤー及び該特定のプレイヤーと同じグループに属するプレイヤーに対して、特定のゲーム内アイテムを付与するアイテム管理部と、
を備えるゲーム制御サーバである。
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
被検者の頭部に装着して使用される眼球生体情報収集装置であって、
使用時に前記被検者の眼球に超音波を発信し前記眼球に反射した反射波を受信する超音波センサー部と、
使用時に前記超音波センサー部を前記被検者の眼瞼に密着させる密着部と、
前記超音波センサー部で検出された検出データに基づき眼球生体情報を演算するデータ演算部と、
前記超音波センサー部で検出された検出データおよび前記データ演算部で演算された演算データを記憶するデータ記憶部と、
時刻情報に基づいて計測タイミングと計測間隔とを設定するタイマー部と、
前記超音波センサー部、前記データ演算部、前記データ記憶部、前記タイマー部を制御する制御部と、
を備え、
前記タイマー部で設定された計測タイミングと計測間隔における眼球の生体情報を得ることを特徴とする眼球生体情報収集装置。
【請求項２】
請求項１に記載の眼球生体情報収集装置において、
前記超音波センサー部は、
複数の開口部がアレイ状に配置された基板と、
前記開口部に形成され膜厚方向に変位可能な振動膜と、
前記振動膜の上に設けられ、２つの電極に接触する圧電体膜を有する超音波センサー素子と、を備える
ことを特徴とする眼球生体情報収集装置。
【請求項３】
請求項２に記載の眼球生体情報収集装置において、
前記超音波センサー部は、
前記超音波センサー素子と前記超音波センサー素子で受信した信号を増幅する増幅回路とが一体に備えられている
ことを特徴とする眼球生体情報収集装置。
【請求項４】
請求項１乃至３のいずれか一項に記載の眼球生体情報収集装置において、
前記データ演算部は前記超音波センサー部で検出した前回の検出データに基づいて変動値を演算する相対変動値演算部と、
前記相対変動値演算部で演算された変動値の演算データを判定する変動値判定部を備える
ことを特徴とする眼球生体情報収集装置。
【請求項５】
請求項１乃至３のいずれか一項に記載の眼球生体情報収集装置において、
前記データ記憶部には校正値を記憶する校正値メモリーを有し、
前記校正値メモリーには、少なくとも２つの異なる体位での眼球生体情報を備える
ことを特徴とする眼球生体情報収集装置。
【請求項６】
請求項５に記載の眼球生体情報収集装置において、
前記データ記憶部の前記校正値メモリーには、
校正値として少なくとも２つの異なる体位から得られる眼球の強膜厚み変動に対する眼圧値の変化率データを備え、
前記データ演算部は前記超音波センサー部で検出した検出データに基づいて眼球の強膜の厚み変動を演算する膜厚変動値演算部と、
前記校正値メモリーに記憶された校正値と校正時の検出データに基づき、前記膜厚変動値演算部で演算された眼球の強膜の厚み変動から眼圧を演算する眼圧値演算部と、を備える
ことを特徴とする眼球生体情報収集装置。
【請求項７】
請求項５に記載の眼球生体情報収集装置において、
前記データ記憶部の前記校正値メモリーには、
校正値として少なくとも２つの異なる体位から得られる眼球の角膜厚み変動に対する眼圧値の変化率データを備え、
前記データ演算部は前記超音波センサー部で検出した検出データに基づいて眼球の角膜の厚み変動を演算する角膜厚変動値演算部と、
前記校正値メモリーに記憶された校正値と校正時の検出データに基づき、前記角膜厚変動値演算部で演算された眼球の角膜の厚み変動から眼圧を演算する眼圧値演算部と、を備える
ことを特徴とする眼球生体情報収集装置。
【請求項８】
被検者の頭部に装着した状態で眼球生体情報を得る眼球生体情報収集方法であって、
被検者の眼瞼に密着した超音波センサー部から、眼球に対して所定の計測タイミングと計測間隔とで超音波の発信および受信を行い、
前記超音波センサー素子で検出した検出データに基づき眼球生体情報を算出する
ことを特徴とする眼球生体情報収集方法。
【請求項９】
請求項８に記載の眼球生体情報収集方法において、
前記超音波センサー部で検出した検出データおよび、予め入手した少なくとも２つの異なる体位での眼球生体情報に基づき眼球生体情報を算出する
ことを特徴とする眼球生体情報収集方法。
【請求項１０】
請求項８に記載の眼球生体情報収集方法において、
前記超音波センサー部で検出した検出データに基づいて眼球の強膜の厚み変動を演算し、
予め入手した少なくとも２つの異なる体位での眼球の強膜からの反射波データと眼圧値に基づいて、眼球の強膜の厚み変動から眼圧を算出する
ことを特徴とする眼球生体情報収集方法。
【請求項１１】
請求項８に記載の眼球生体情報収集方法において、
前記超音波センサー部で検出した検出データに基づいて眼球の角膜の厚み変動を演算し、
予め入手した少なくとも２つの異なる体位での眼球の角膜からの反射波データと眼圧値に基づいて、眼球の角膜の厚み変動から眼圧を算出する
ことを特徴とする眼球生体情報収集方法。
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
シャワーフックとシャワーホースを接続することができるシャワーナットであって、
前記シャワーナットは、
その下部外側形状が、シャワーフックにセットできる、下方に向かって狭くなるすり鉢形状であり、
凸状のニップル形状の接続具を脱着容易に接続することができる凹状のコネクターと、シャワーホースを接続することができるホース接続部とを具備し、
前記凹状のコネクターは、
前記内側部の外周上部に位置し、上下方向にスライドできるスライダーと、
前記内側部の上部に位置し、前記スライダーに上方向の付勢力を与えるスプリングとを
具備するものであるシャワーナット。
【請求項２】
その接続部が凸状のニップル形状であるシャワーヘッドと、シャワーホースとを、請求項１記載のシャワーナットを介して接続するシャワー器具の接続方法であって、
前記シャワーナットと前記シャワーヘッドとは、前記付勢力によって前記スライダーが上方向に位置するときには前記シャワーヘッドへのストッパー機能が働き、前記付勢力に抗して前記スライダーを下方向にスライドさせると前記シャワーナットへのストッパー機能が解除されることで脱着自在に接続されるものであり、
前記シャワーナットと前記シャワーホースとは、前記ホース接続部で接続されるものである、
シャワー器具の接続方法。
【手続補正２】
【補正対象書類名】明細書
【補正対象項目名】発明の名称
【補正方法】変更
【補正の内容】
【発明の名称】シャワーナットおよびこれを用いたシャワー器具の接続方法
【手続補正３】
【補正対象書類名】明細書
【補正対象項目名】０００１
【補正方法】変更
【補正の内容】
【０００１】
本発明は、シャワーヘッドとホースの接続を凹凸器具（以下「カチット」という。）にすることで、好みのシャワーヘッドに容易に交換できたり、浴室清掃等に活用できる部品に交換し、効率的に清掃を行うことができる接続部材であるシャワーナット（以下「シャワーカチット」という。）およびこれを用いたシャワーヘッドとシャワーホースの接続方法である。
【手続補正書】
【提出日】平成26年11月27日(2014.11.27)
【手続補正１】
【補正対象書類名】明細書
【補正対象項目名】００３５
【補正方法】変更
【補正の内容】
【００３５】
後ウエスト域１２において、弾性ベルトパネル１６，１７は、サイド弾性部２５の外側縁２５ｂに沿って縦方向Ｙに延びる第３接合域８３を介してシャーシ１４に固定される。弾性ベルトパネル１６，１７がサイド弾性部２５の外側縁２５ｂに固定されるので、おむつ１０の着用状態において、サイド弾性部２５は弾性ベルトパネル１６，１７の伸長力によって横方向Ｘに引っ張られて内側縁２５ａが着用者の大腿部に当接し、後記の防漏壁８７を形成する。サイド弾性部２５には、第１接合域８１、第２接合域８２および第３接合域８３によって画定されたサイド非接合域９０が画定される。さらに、弾性ベルトパネル１６，１７は、本体部２４における外側縁２５ｂの肌対向面側に固定されるため、おむつ１０の装着時に、本体部２４を着用者の体に直接押し付けることを防止し、本体部２４と連結パネル５２との間には、排泄物を収容するためのスペースが形成されやすくなる。
【手続補正書】
【提出日】平成27年5月29日(2015.5.29)
【手続補正１】
【補正対象書類名】特許請求の範囲
【補正対象項目名】全文
【補正方法】変更
【補正の内容】
【特許請求の範囲】
【請求項１】
手術用のレーザ光をターゲット位置に照射させる照射光学系であってレーザ光のスポットを３次元的に移動させる移動光学系を有するレーザ照射光学系を内蔵する装置本体を備え、装置本体に設けられたレーザ照射口を介してレーザ光により術眼を手術する眼科用レーザ手術装置において、
前記装置本体に取り付けられた眼球固定ユニットと、
前記眼球固定ユニットを術眼に対して移動させる移動ユニットと、
術眼の断層像を取得する断層像取得ユニットと、
前記断層像取得ユニットによって取得された断層像に基づいて術眼の位置を特定し、特定した前記術眼の位置と、前記眼球固定ユニットの位置とに基づいて前記移動ユニットを制御することで、術眼に対して前記眼球固定ユニットをアライメントする制御ユニットと、
を備える、ことを特徴とする眼科用レーザ手術装置。
【請求項２】
請求項１に記載の眼科用レーザ手術装置において、
前記制御ユニットは、前記断層像取得ユニットによって取得された断層像から、術眼の角膜頂点位置又は瞳孔中心位置を前記術眼の位置として特定することを特徴とする眼科用レーザ手術装置。
【請求項３】
請求項２に記載の眼科用レーザ手術装置において、
前記制御ユニットは、術眼の軸方向に交差するＸＹ方向において、前記角膜頂点位置又は前記瞳孔中心位置と、リング状の前記眼球固定ユニットの中心との差がなくなるように、前記移動ユニットを制御することを特徴とする眼科用レーザ手術装置。
【請求項４】
手術用のレーザ光をターゲット位置に照射させる照射光学系であってレーザ光のスポットを３次元的に移動させる移動光学系を有するレーザ照射光学系を内蔵する装置本体を備え、装置本体に設けられたレーザ照射口を介してレーザ光により術眼を手術する眼科用レーザ手術装置において、
前記装置本体に取り付けられた眼球固定ユニットと、
前記眼球固定ユニットを術眼に対して移動させる移動ユニットと、
前記移動ユニットを移動させる指令信号を入力する移動ユニット操作部と、
術眼の断層像を取得する断層像取得ユニットと、
画像を表示するモニタと、
前記眼科用レーザ手術装置を制御する制御ユニットと、
を備え、
前記制御ユニットは、
前記断層像取得ユニットによって取得される術眼の断層像の動画像を前記モニタに表示させながら、前記移動ユニット操作部に入力される指令信号に応じて前記移動ユニットを制御することを特徴とする眼科用レーザ手術装置。
【請求項５】
請求項４に記載の眼科用レーザ手術装置において、
前記制御ユニットは、リング状の前記眼球固定ユニットの位置を示すシンボルを、前記モニタにおける前記断層像に重畳表示させることを特徴とする眼科用レーザ手術装置。
【手続補正２】
【補正対象書類名】明細書
【補正対象項目名】０００６
【補正方法】変更
【補正の内容】
【０００６】
本発明は、上記課題を解決するために、以下の構成を有することを特徴とする。
（１）  手術用のレーザ光をターゲット位置に照射させる照射光学系であってレーザ光のスポットを３次元的に移動させる移動光学系を有するレーザ照射光学系を内蔵する装置本体を備え、装置本体に設けられたレーザ照射口を介してレーザ光により術眼を手術する眼科用レーザ手術装置において、
前記装置本体に取り付けられた眼球固定ユニットと、
前記眼球固定ユニットを術眼に対して移動させる移動ユニットと、
術眼の断層像を取得する断層像取得ユニットと、
前記断層像取得ユニットによって取得された断層像に基づいて術眼の位置を特定し、特定した前記術眼の位置と、前記眼球固定ユニットの位置とに基づいて前記移動ユニットを制御することで、術眼に対して前記眼球固定ユニットをアライメントする制御ユニットと、
を備える、ことを特徴とする。
（２）  手術用のレーザ光をターゲット位置に照射させる照射光学系であってレーザ光のスポットを３次元的に移動させる移動光学系を有するレーザ照射光学系を内蔵する装置本体を備え、装置本体に設けられたレーザ照射口を介してレーザ光により術眼を手術する眼科用レーザ手術装置において、
前記装置本体に取り付けられた眼球固定ユニットと、
前記眼球固定ユニットを術眼に対して移動させる移動ユニットと、
前記移動ユニットを移動させる指令信号を入力する移動ユニット操作部と、
術眼の断層像を取得する断層像取得ユニットと、
画像を表示するモニタと、
前記眼科用レーザ手術装置を制御する制御ユニットと、
を備え、
前記制御ユニットは、
前記断層像取得ユニットによって取得される術眼の断層像の動画像を前記モニタに表示させながら、前記移動ユニット操作部に入力される指令信号に応じて前記移動ユニットを制御することを特徴とする。
【手続補正３】
【補正対象書類名】明細書
【補正対象項目名】０００４
【補正方法】削除
【補正の内容】
【手続補正書】
【提出日】平成27年5月29日(2015.5.29)
【手続補正１】
【補正対象書類名】特許請求の範囲
【補正対象項目名】全文
【補正方法】変更
【補正の内容】
【特許請求の範囲】
【請求項１】
手術用のレーザ光を出射するレーザ光源と、
レーザ光を集光する集光光学系と集光されたスポット位置を３次元的に移動させる移動光学系とを有し、前記レーザ光源から出射されたレーザ光をターゲット位置に照射させるレーザ照射光学系と、
術眼の断層像を取得する断層像取得ユニットと、
前記断層像取得ユニットで取得された断層像に基づいて手術部位を設定する手術部位設定ユニットと、
前記断層像に含まれる少なくとも１つの特徴部分に対応する前記レーザ照射光学系の制御情報を基準照射制御情報として取得するための基準照射制御情報取得ユニットと、
前記基準照射制御情報取得ユニットによって取得された基準照射制御情報を基に前記手術部位設定ユニットで設定された手術部位にレーザ照射するための前記レーザ照射光学系の制御情報を生成する照射制御情報生成ユニットと、
前記照射制御情報生成ユニットで生成された制御情報に基づいて前記レーザ照射光学系を制御して所定の手術部位にレーザ光を照射して手術する照射制御ユニットと、
を備える、ことを特徴とする眼科用レーザ手術装置。
【請求項２】
請求項１に記載の眼科用レーザ手術装置において、
前記基準照射制御情報取得ユニットは、
前記レーザ照射光学系の少なくとも一部を共用し、
基準照射制御情報取得用の第２光源と、
該第２光源から出射された光の術眼内における集光スポット位置からの光を受光する受光素子と、
を備え、
前記移動光学系を用いて前記第２光源から出射された光の術眼内における集光スポット位置を移動させながら取得した前記受光素子からの受光信号に基づいて基準照射制御情報を得る、ことを特徴とする眼科用レーザ手術装置。
【請求項３】
請求項２に記載の眼科用レーザ手術装置において、
前記レーザ光源又は前記レーザ照射光学系内にてレーザ光エネルギを調整するレーザ光エネギ調整ユニットをさらに備え、
前記レーザ光源は、レーザ光のスポット位置でブレイクダウンを発生させるパルスレーザ光を出射するパルスレーザ光源であって、且つ前記第２光源として共用され、
前記レーザ光エネルギ調整ユニットは、基準照射制御情報が取得される場合に、前記レーザ光源から出射されたレーザ光が集光されたスポット位置で，実質的にブレイクダウンを発生させないようにレーザ光のエネルギを調整する、
ことを特徴とする眼科用レーザ手術装置。
【手続補正２】
【補正対象書類名】明細書
【補正対象項目名】０００７
【補正方法】変更
【補正の内容】
【０００７】
手術用のレーザ光を出射するレーザ光源と、
レーザ光を集光する集光光学系と集光されたスポット位置を３次元的に移動させる移動光学系とを有し、前記レーザ光源から出射されたレーザ光をターゲット位置に照射させるレーザ照射光学系と、
術眼の断層像を取得する断層像取得ユニットと、
前記断層像取得ユニットで取得された断層像に基づいて手術部位を設定する手術部位設定ユニットと、
前記断層像に含まれる少なくとも１つの特徴部分に対応する前記レーザ照射光学系の制御情報を基準照射制御情報として取得するための基準照射制御情報取得ユニットと、
前記基準照射制御情報取得ユニットによって取得された基準照射制御情報を基に前記手術部位設定ユニットで設定された手術部位にレーザ照射するための前記レーザ照射光学系の制御情報を生成する照射制御情報生成ユニットと、
前記照射制御情報生成ユニットで生成された制御情報に基づいて前記レーザ照射光学系を制御して所定の手術部位にレーザ光を照射して手術する照射制御ユニットと、
を備える、ことを特徴とする。
【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
股関節本体と、
大腿部と、
前記股関節本体に対して前記大腿部を少なくともピッチ軸の回りに回転可能に連結する股関節ジョイントと、
前記大腿部にピッチ軸の回りを回転可能に連結される膝関節本体と、
一端部が前記股関節本体又は前記股関節ジョイントにピッチ軸の回りを回転可能に連結されると共に、他端部が前記膝関節本体にピッチ軸の回りを回転可能に連結される大腿部補助リンクと、
前記大腿部補助リンクの前記一端部から前記他端部までの長さを伸縮させる膝関節アクチュエータと、を備える脚式ロボットの下肢構造。
【請求項２】
前記股関節ジョイントは、前記股関節本体に前記大腿部を前記ピッチ軸及びロール軸の回りに回転可能に連結し、
前記大腿部と前記股関節本体との間には、前記股関節本体に対して前記大腿部を前記ピッチ軸及び前記ロール軸の回りに回転駆動させる股関節アクチュエータが架け渡されることを特徴とする請求項１に記載の脚式ロボットの下肢構造。
【請求項３】
前記脚式ロボットはさらに、
前記膝関節本体に結合される下腿部と、
足首関節本体と、
前記下腿部に前記足首関節本体を少なくともピッチ軸の回りに回転可能に連結する足首関節ジョイントと、
一端部が前記下腿部にピッチ軸の回りを回転可能に連結されると共に、他端部が前記足首関節ジョイントにピッチ軸の回りを回転可能に連結される下腿部補助リンクと、
前記下腿部補助リンクの前記一端部から前記他端部までの長さを伸縮させる足首関節アクチュエータと、を備えることを特徴とする請求項１又は２に記載の脚式ロボットの下肢構造。
【請求項４】
請求項１ないし３のいずれかに記載の脚式ロボットの下肢構造が組み込まれた脚式ロボット。
【手続補正２】
【補正対象書類名】明細書
【補正対象項目名】００３２
【補正方法】変更
【補正の内容】
【００３２】
足首関節アクチュエータ６の軸部６ｂは足首関節本体２０に球面軸受を介して回転可能に連結される。足首関節アクチュエータ６の本体部６ａは下腿部１２ｂに球面軸受を介して回転可能に連結される。二つの足首関節アクチュエータ６を同時に伸ばしたり、縮めたりすると、足首関節本体２０が下腿部１２ｂに対してピッチ軸２４ａ２の回りを回転するようになる。一方、二つの足首関節アクチュエータ６の一方を伸ばし、他方を縮めると、足首関節本体２０が下腿部１２ｂに対してロール軸２４ａ１の回りを回転するようになる。二つの足首関節アクチュエータ６の回転角度を制御することで、足首関節本体２０を下腿部１２ｂに対してロール軸２４ａ１及びピッチ軸２４ａ２の回りを回転させることが可能になる。
【手続補正３】
【補正対象書類名】明細書
【補正対象項目名】００３５
【補正方法】変更
【補正の内容】
【００３５】
図４（ａ）は、股関節アクチュエータ７によって大腿部１２ａをピッチ軸２２ａ２の回りに回転させて、大腿部１２ａを前方に差し出した状態を示す。大腿部１２ａをピッチ軸の回りに回転させるとき、平行リンク４１の作用により、股関節本体１８に対する膝関節本体１９（膝関節本体１９及び下腿部１２ｂ）の姿勢が一定に保たれる。すなわち、図４（ａ）に示すように大腿部１２ａを回転させても、膝関節本体１９（膝関節本体１９及び下腿部１２ｂ）の姿勢は図３（ｂ）と同様に鉛直方向を向いている。そして、図４（ｂ）に示すように、膝関節アクチュエータ４が大腿部補助リンク３１を縮めることで、膝関節が屈曲するように、鉛直方向を向く膝関節本体１９（膝関節本体１９及び下腿部１２ｂ）の姿勢を変化させることができる。人間の大腿部にも後方に大腿部補助リンク３１に相当する筋肉があり、筋肉を収縮させることで膝関節本体の姿勢を変化させることができるようになっている。大腿部１２ａの後方に大腿部補助リンク３１を設け、大腿部補助リンク３１を伸縮させることで、人間と同様に少ないエネルギで膝関節本体１９の姿勢を変化させることができる。
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
並設されたワイヤとワークとの間で放電させることで前記ワークをスライスするワイヤ放電加工装置であって、
前記並設されたワイヤを走行させる複数のガイドローラと、
加工電源部と電気回路で接続されており、前記並設されたワイヤに加工電圧を印加する給電子と、
前記給電子を介して前記並設されたワイヤに前記加工電圧が印加されて、前記並設されたワイヤが走行している場合に、前記並設されたワイヤと前記ガイドローラとが接している第１の部位に、前記ガイドローラの上部から冷却水を噴射する第１の冷却ユニットと、
前記ガイドローラの外周の一部に前記ガイドローラを覆うように設けられた外周板と、
を備え、
前記外周板が、前記第１の部位に噴射した冷却水を前記外周に飛散させずにガイドローラの下部まで流れるようにすることを特徴とするワイヤ放電加工装置。
【請求項２】
前記第１の冷却ユニットはさらに、前記給電子を介して前記並設されたワイヤに前記加工電圧が印加されている場合には、前記複数のガイドローラの回動により前記並設されたワイヤが走行していない場合でも前記第１の部位に、前記ガイドローラの上部から冷却水を噴射することを特徴とする請求項１に記載のワイヤ放電加工装置。
【請求項３】
所定の範囲の比抵抗に管理されたイオン交換水を、前記並設されたワイヤと前記ワークとが近接する位置に加工液として供給する加工槽と、
前記噴射される冷却水の比抵抗が、前記加工槽に供給されるイオン交換水の比抵抗と等しくなるように前記冷却水の比抵抗を管理するイオン交換樹脂と、
をさらに備えることを特徴とする請求項１または請求項２に記載のワイヤ放電加工装置。
【請求項４】
前記並設されたワイヤと前記給電子とが接する第２の部位を冷却する第２の冷却ユニットをさらに備え、
前記第２の冷却ユニットが、前記第２の部位を冷却するべく、前記並設されたワイヤの表面に冷却水を噴射することを特徴とする請求項１乃至請求項３のいずれか１項に記載のワイヤ放電加工装置。
【請求項５】
前記第１の部位に向けて噴射される冷却水の噴射圧を設定する第１設定部と、
前記第２の部位に向けて噴射される冷却水の噴射圧を設定する第２設定部と、
をさらに備え、
前記第２の部位に噴射される噴射圧が前記第１の部位に噴射される噴射圧よりも低くなるように、前記第１設定部および前記第２設定部が設定されることを特徴とする請求項４に記載のワイヤ放電加工装置。
【請求項６】
並設されたワイヤとワークとの間で放電させることで前記ワークをスライスし、
前記並設されたワイヤを走行させる複数のガイドローラと、
加工電源部と電気回路で接続されており、前記並設されたワイヤに加工電圧を印加する給電子と、
前記給電子を介して前記並設されたワイヤに前記加工電圧が印加されて、前記並設されたワイヤが走行している場合に、前記並設されたワイヤと前記ガイドローラとが接している第１の部位に、前記ガイドローラの上部から冷却水を噴射する第１の冷却ユニットと、
前記ガイドローラの外周の一部に前記ガイドローラを覆うように設けられた外周板と、
を備えるワイヤ放電加工装置によるワイヤ放電加工方法であって、
前記外周板が、前記第１の部位に噴射した冷却水を前記外周に飛散させずにガイドローラの下部まで流れるようにすることを特徴とするワイヤ放電加工方法。
【手続補正２】
【補正対象書類名】明細書
【補正対象項目名】発明の名称
【補正方法】変更
【補正の内容】
【発明の名称】ワイヤ放電加工装置およびワイヤ放電加工方法
【手続補正３】
【補正対象書類名】明細書
【補正対象項目名】０００１
【補正方法】変更
【補正の内容】
【０００１】
ワイヤ放電加工装置およびワイヤ放電加工方法に関する。
【手続補正４】
【補正対象書類名】明細書
【補正対象項目名】０００７
【補正方法】変更
【補正の内容】
【０００７】
本願発明は、並設されたワイヤとワークとの間で放電させることで前記ワークをスライスするワイヤ放電加工装置であって、前記並設されたワイヤを走行させる複数のガイドローラと、加工電源部と電気回路で接続されており、前記並設されたワイヤに加工電圧を印加する給電子と、前記給電子を介して前記並設されたワイヤに前記加工電圧が印加されて、前記並設されたワイヤが走行している場合に、前記並設されたワイヤと前記ガイドローラとが接している第１の部位に、前記ガイドローラの上部から冷却水を噴射する第１の冷却ユニットと、前記ガイドローラの外周の一部に前記ガイドローラを覆うように設けられた外周板と、を備え、前記外周板が、前記第１の部位に噴射した冷却水を前記外周に飛散させずにガイドローラの下部まで流れるようにすることを特徴とする。
【手続補正５】
【補正対象書類名】明細書
【補正対象項目名】０００８
【補正方法】変更
【補正の内容】
【０００８】
また、前記第１の冷却ユニットはさらに、前記給電子を介して前記並設されたワイヤに前記加工電圧が印加されている場合には、前記複数のガイドローラの回動により前記並設されたワイヤが走行していない場合でも前記第１の部位に、前記ガイドローラの上部から冷却水を噴射することを特徴とする。
【手続補正６】
【補正対象書類名】明細書
【補正対象項目名】０００９
【補正方法】変更
【補正の内容】
【０００９】
また、所定の範囲の比抵抗に管理されたイオン交換水を、前記並設されたワイヤと前記ワークとが近接する位置に加工液として供給する加工槽と、前記噴射される冷却水の比抵抗が、前記加工槽に供給されるイオン交換水の比抵抗と等しくなるように前記冷却水の比抵抗を管理するイオン交換樹脂と、をさらに備えることを特徴とする。
【手続補正７】
【補正対象書類名】明細書
【補正対象項目名】００１０
【補正方法】変更
【補正の内容】
【００１０】
また、前記並設されたワイヤと前記給電子とが接する第２の部位を冷却する第２の冷却ユニットをさらに備え、前記第２の冷却ユニットが、前記第２の部位を冷却するべく、前記並設されたワイヤの表面に冷却水を噴射することを特徴とする。
【手続補正８】
【補正対象書類名】明細書
【補正対象項目名】００１１
【補正方法】変更
【補正の内容】
【００１１】
また、前記第１の部位に向けて噴射される冷却水の噴射圧を設定する第１設定部と、前記第２の部位に向けて噴射される冷却水の噴射圧を設定する第２設定部と、をさらに備え、前記第２の部位に噴射される噴射圧が前記第１の部位に噴射される噴射圧よりも低くなるように、前記第１設定部および前記第２設定部が設定されることを特徴とする。
【手続補正書】
【提出日】平成27年7月3日(2015.7.3)
【手続補正１】
【補正対象書類名】特許請求の範囲
【補正対象項目名】請求項１
【補正方法】変更
【補正の内容】
【請求項１】
基板上に電荷阻止層を生成する電荷阻止層生成工程と、
前記電荷阻止層とヘテロ接合するとともに塩素がドープされた多結晶膜で構成されるＣｄＴｅ層を前記基板上の前記電荷阻止層を覆うように生成するＣｄＴｅ層生成工程と、
前記ＣｄＴｅ層がＮ型の半導体の物性を有するようになる温度と時間で前記ＣｄＴｅ層が生成された前記基板を熱処理する熱処理工程とを備えることを特徴とする放射線検出器の製造方法。
【手続補正２】
【補正対象書類名】明細書
【補正対象項目名】００１４
【補正方法】変更
【補正の内容】
【００１４】
本発明は上述の課題を解決するために次のような構成をとる。
すなわち、本発明に係る放射線検出器の製造方法は、基板上に電荷阻止層を生成する電荷阻止層生成工程と、電荷阻止層とヘテロ接合するとともに塩素がドープされた多結晶膜で構成されるＣｄＴｅ層を基板上の電荷阻止層を覆うように生成するＣｄＴｅ層生成工程と、ＣｄＴｅ層がＮ型の半導体の物性を有するようになる温度と時間でＣｄＴｅ層が生成された基板を熱処理する熱処理工程とを備えることを特徴とするものである。
【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
ネットワークを介して接続される複数の機器のいずれかに対する要求を受信し、前記要求を要求記憶部に記憶する受信部と、
前記複数のいずれかの機器からの問い合わせの受信に応じ、該問い合わせに対応するサービスの情報に基づき、前記要求記憶部に記憶されている要求のうち、当該機器、又は当該機器に関連付けられている機器に対する要求を、前記問い合わせに対する応答に含めて返信する返信部とを有する要求伝達装置。
【請求項２】
前記機器間の関連情報を記憶する関連記憶部を有し、
前記返信部は、前記複数のいずれかの機器からの問い合わせの受信に応じ、前記要求記憶部に記憶されている要求のうち、当該機器、又は前記関連情報によって当該機器に関連付けられている機器に対する要求を、前記問い合わせに対する応答に含めて返信する請求項１記載の要求伝達装置。
【請求項３】
前記返信部は、前記複数のいずれかの機器の状態の変化を通知する通知情報の受信に応じ、前記通知情報の送信元の機器、又は当該機器に関連付けられている機器に対する要求を、前記問い合わせに対する応答に含めて返信する請求項１又は２記載の要求伝達装置。
【請求項４】
請求項１乃至３いずれか一項記載の要求伝達装置に前記問い合わせを送信する送信部と、
前記問い合わせに対して前記要求伝達装置から返信される応答に含まれている前記要求を、他の機器に転送する転送部とを有する機器。
【請求項５】
ネットワークを介して接続される複数の機器のいずれかに対する要求を受信し、前記要求を要求記憶部に記憶する受信部と、
前記複数のいずれかの機器からの問い合わせの受信に応じ、該問い合わせに対応するサービスの情報に基づき、前記要求記憶部に記憶されている要求のうち、当該機器、又は当該機器に関連付けられている機器に対する要求を、前記問い合わせに対する応答に含めて返信する返信部とを有する要求伝達装置と、
前記要求伝達装置に前記問い合わせを送信する送信部と、
前記問い合わせに対して前記要求伝達装置から返信される応答に含まれている前記要求を、他の機器に転送する転送部とを有する機器と、
を含む要求伝達システム。
【請求項６】
ネットワークを介して接続される複数の機器のいずれかに対する要求を受信し、前記要求を要求記憶部に記憶する受信手順と、
前記複数のいずれかの機器からの問い合わせの受信に応じ、該問い合わせに対応するサービスの情報に基づき、前記要求記憶部に記憶されている要求のうち、当該機器、又は当該機器に関連付けられている機器に対する要求を、前記問い合わせに対する応答に含めて返信する返信手順とをコンピュータが実行する要求伝達方法。
【請求項７】
請求項１乃至３いずれか一項記載の要求伝達装置に前記問い合わせを送信する送信手順と、
前記問い合わせに対して前記要求伝達装置から返信される応答に含まれている前記要求を、他の機器に転送する転送手順とを機器が実行する要求伝達方法。
【請求項８】
ネットワークを介して接続される複数の機器のいずれかに対する要求を受信し、前記要求を要求記憶部に記憶する受信手順と、
前記複数のいずれかの機器からの問い合わせの受信に応じ、該問い合わせに対応するサービスの情報に基づき、前記要求記憶部に記憶されている要求のうち、当該機器、又は当該機器に関連付けられている機器に対する要求を、前記問い合わせに対する応答に含めて返信する返信手順とをコンピュータに実行させるプログラム。
【請求項９】
請求項１乃至３いずれか一項記載の要求伝達装置に前記問い合わせを送信する送信手順と、
前記問い合わせに対して前記要求伝達装置から返信される応答に含まれている前記要求を、他の機器に転送する転送手順とを機器に実行させるプログラム。
【手続補正書】
【提出日】平成27年9月17日(2015.9.17)
【手続補正１】
【補正対象書類名】明細書
【補正対象項目名】０００９
【補正方法】変更
【補正の内容】
【０００９】
（１）記録材に画像を形成するために所定の記録材搬送速度で記録材が搬送される第一の搬送路と、前記第一の搬送路を搬送される記録材に画像を形成する画像形成手段と、前記画像形成手段により画像が形成された記録材を反転させるために記録材が搬送される第二の搬送路と、前記第二の搬送路を所定の原稿搬送速度で搬送される原稿の画像を読み取る読取手段と、を備える画像形成装置であって、前記第二の搬送路において記録材と原稿を搬送する場合に、記録材と原稿の搬送速度を制御する制御手段を有し、前記制御手段は、前記第二の搬送路において、記録材と原稿を所定間隔で連続して搬送する場合において、前記記録材の第一の搬送速度と、前記原稿の第二の搬送速度が異なる場合、前記第一の搬送速度と前記第二の搬送速度のうち遅い方の速度になるように、前記記録材と前記原稿を搬送するように制御することを特徴とする画像形成装置。
【手続補正２】
【補正対象書類名】特許請求の範囲
【補正対象項目名】全文
【補正方法】変更
【補正の内容】
【特許請求の範囲】
【請求項１】
記録材に画像を形成するために所定の記録材搬送速度で記録材が搬送される第一の搬送路と、
前記第一の搬送路を搬送される記録材に画像を形成する画像形成手段と、
前記画像形成手段により画像が形成された記録材を反転させるために記録材が搬送される第二の搬送路と、
前記第二の搬送路を所定の原稿搬送速度で搬送される原稿の画像を読み取る読取手段と、
を備える画像形成装置であって、
前記第二の搬送路において記録材と原稿を搬送する場合に、記録材と原稿の搬送速度を制御する制御手段を有し、
前記制御手段は、前記第二の搬送路において、記録材と原稿を所定間隔で連続して搬送する場合において、前記記録材の第一の搬送速度と、前記原稿の第二の搬送速度が異なる場合、前記第一の搬送速度と前記第二の搬送速度のうち遅い方の速度になるように、前記記録材と前記原稿を搬送するように制御することを特徴とする画像形成装置。
【請求項２】
前記第一の搬送路に設けられた搬送手段を駆動する第一の駆動源と、
前記第二の搬送路に設けられた搬送手段を駆動し、前記第一の駆動源とは異なる第二の駆動源と、
を備え、
前記制御手段は、原稿の搬送速度と記録材の搬送速度との差が、所定の範囲内となるように前記第一の駆動源及び前記第二の駆動源を制御することを特徴とする請求項１に記載の画像形成装置。
【請求項３】
前記制御手段は、一枚の原稿の画像を読み取って一枚の記録材へ画像を形成する場合には、前記所定の記録材搬送速度で記録材を搬送するよう前記第一の駆動源を制御し、前記所定の原稿搬送速度で原稿を搬送するよう前記第二の駆動源を制御することを特徴とする請求項２に記載の画像形成装置。
【請求項４】
前記制御手段は、記録材を前記第二の搬送路に搬送しない場合には、前記所定の記録材搬送速度で記録材を搬送するよう前記第一の駆動源を制御し、前記所定の原稿搬送速度で原稿を搬送するよう前記第二の駆動源を制御することを特徴とする請求項２に記載の画像形成装置。
【請求項５】
前記所定の記録材搬送速度は、記録材の種類に応じて設定されることを特徴とする請求項１乃至４のいずれか１項に記載の画像形成装置。
【請求項６】
前記所定の原稿搬送速度は、原稿の画像を読み取る際の解像度によって設定されることを特徴とする請求項１乃至５のいずれか１項に記載の画像形成装置。